(57)【要約】【課題】管壁を一時的に径方向外方に拡径させることによって圧力の上昇を緩和する構成により、取り回しやすく配設工事の作業性が向上された圧力上昇緩和管を提供する。【解決手段】圧力上昇緩和管１０は、第１水道管９１（第１通水体）の端部９１Ａに接続される第１接続管１１と、第２水道管９２（第２通水体）の端部９２Ａに接続される第２接続管１２と、第１接続管１１および第２接続管１２を互いに通水可能に連結して、水道管路内における圧力の上昇を緩和するクッション部１３とを備える。クッション部１３は、第１接続管１１および第２接続管１２を形成する各素材よりも振動減衰能が高く弾性変形をしやすい軟質材料によって径方向外方に拡径させることが可能な管形状に形成され、この管形状の両端部に第１接続管１１と第２接続管１２とが接合された状態に接続されることで、第１接続管１１および第２接続管１２を通水方向に一体に連結する。【選択図】図２
2014185476.tif 000002
【特許請求の範囲】
【請求項１】
水道管路において第１通水体と第２通水体との間に差し挟まれるように装着されて前記第１通水体および前記第２通水体を互いに通水可能に連結し、前記水道管路内における圧力の上昇を緩和する圧力上昇緩和管において、
前記第１通水体における前記第２通水体側の端部に接続される管から成る第１接続管と、
前記第２通水体における前記第１通水体側の端部に接続される管から成る第２接続管と、
前記第１接続管および前記第２接続管を互いに通水可能に連結して、前記水道管路内における圧力の上昇を緩和するクッション部と、
を備え、
前記クッション部は、前記第１接続管および前記第２接続管を形成する各素材よりも振動減衰能が高く弾性変形をしやすい軟質材料によって径方向外方に拡径させることが可能な管形状に形成され、当該管形状の両端部に前記第１接続管と前記第２接続管とが接合された状態に接続されることで、前記第１接続管および前記第２接続管を通水方向に一体に連結している、
圧力上昇緩和管。
【請求項２】
請求項１に記載の圧力上昇緩和管であって、
前記第１接続管は、前記第１通水体の前記第２通水体側の端部に差し込まれて当該端部の内周面に嵌合されることで、前記第１接続管と前記第１通水体との接続を実現させる差し込み部を備え、
前記差し込み部の外周面側には、当該差し込み部の周方向に沿ってリング形状に膨出された膨出リングが接合され、
前記クッション部および前記膨出リングは、それぞれ、前記第１接続管および前記第２接続管をインサート品とした前記軟質材料のインサート成形によって一緒に形成されている、
圧力上昇緩和管。
【請求項３】
請求項１または請求項２に記載の圧力上昇緩和管であって、
前記クッション部は、前記第１接続管および前記第２接続管のそれぞれに内周面側から外周面側に向かう方向の迷路形状をなすように形成された各接合部に入り込んだ状態に接合されることで、前記第１接続管と前記第２接続管とを一体に連結している、
圧力上昇緩和管。
【発明の詳細な説明】
【技術分野】
【０００１】
本発明は、水道管路において２本の通水体の間に差し挟まれるように装着されて各通水体を互いに通水可能に連結し、上記水道管路内における圧力の上昇を緩和する圧力上昇緩和管に関する。
【背景技術】
【０００２】
水道水を供給する水道管路において発生される破損には、水道管路内における圧力の変動を原因とするものがあることが知られている。ここで、上記「圧力の変動」には、例えば水道管路内において凍結した水道水の凝固膨張にともなう水道管路内の圧力の上昇や、水道管路において供給されている水道水が急に止水されることで発生されるウォーターハンマー現象にともなう圧力波などがある。
水道管路内における圧力の変動を緩和させることができる技術としては、従来、例えば特許文献１に記載された圧力上昇緩和管が知られている。この圧力上昇緩和管は、水道水の凝固膨張にともなう水道管路内の圧力の上昇に対して、圧力上昇緩和管内に位置されたクッション部材を弾性的に収縮させて圧力上昇緩和管内のスペースを一時的に広げることで、上記圧力の上昇を緩和させる。なお、上記圧力上昇緩和管は、水道管路内において発生されるウォーターハンマー現象にともなう圧力波を、上記クッション部材によって受け止めて緩和することもできる。
【先行技術文献】
【特許文献】
【０００３】
【特許文献１】特開昭４７−０６３２４９号公報
【発明の概要】
【発明が解決しようとする課題】
【０００４】
しかし、上記特許文献１に記載された従来技術の圧力上昇緩和管では、水道管路内における圧力の上昇を緩和させるクッション部材が、圧力上昇緩和管内のスペースをより狭くするように配置される。このため、上記従来技術の圧力上昇緩和管は、送水量が等しい通常の水道管と比べてより太く形成する必要がある。これにより、上記圧力上昇緩和管には、上記通常の水道管と比べて取り回しが難しく、その配設工事の作業性が悪いという問題が発生していた。
本発明は、水道管路内における圧力が上昇される際に、圧力上昇緩和管の管壁を一時的に径方向外方に拡径させることによって上記圧力の上昇を緩和させることで、上記圧力上昇緩和管を通常の水道管よりも太く形成する必要をなくし、上記圧力上昇緩和管を取り回しやすくしてその配設工事の作業性を向上させることを可能とするものである。
【課題を解決するための手段】
【０００５】
上記課題を解決するために、本発明の圧力上昇緩和管は以下の手段をとる。
まず、第１の発明は、水道管路において第１通水体と第２通水体との間に差し挟まれるように装着されて第１通水体および第２通水体を互いに通水可能に連結し、上記水道管路内における圧力の上昇を緩和する圧力上昇緩和管である。この圧力上昇緩和管は、第１通水体における第２通水体側の端部に接続される管から成る第１接続管と、第２通水体における第１通水体側の端部に接続される管から成る第２接続管と、第１接続管および第２接続管を互いに通水可能に連結して、水道管路内における圧力の上昇を緩和するクッション部とを備えている。このクッション部は、第１接続管および第２接続管を形成する各素材よりも振動減衰能が高く弾性変形をしやすい軟質材料によって径方向外方に拡径させることが可能な管形状に形成され、この管形状の両端部に第１接続管と第２接続管とが接合された状態に接続されることで、第１接続管および第２接続管を通水方向に一体に連結している。
この第１の発明によれば、第１通水体と第２通水体とを互いに通水可能に連結する圧力上昇緩和管の管壁の一部であるクッション部が、水道水の凝固膨張にともなう水道管路内の圧力の上昇に対して弾性変形し、径方向外方に一時的に拡径されることで、圧力上昇緩和管内のスペースを一時的に広げて水道管路内の圧力の上昇を緩和させる。これにより、圧力上昇緩和管を通常の水道管よりも太く形成する必要をなくし、上記圧力上昇緩和管を取り回しやすくしてその配設工事の作業性を向上させることが可能となる。また、クッション部の素材を振動減衰能が高い軟質材料とすることで、クッション部にウォーターハンマー現象にともなう圧力波を受け止めさせてその圧力の変動を緩和させることが可能となる。これにより、圧力上昇緩和管は、上記圧力波の伝播を抑えながらこの圧力波に対する上記圧力上昇緩和管の耐久性を向上させることが可能となる。
【０００６】
ついで、第２の発明は、上述した第１の発明において、第１接続管は、第１通水体の第２通水体側の端部に差し込まれてこの端部の内周面に嵌合されることで、第１接続管と第１通水体との接続を実現させる差し込み部を備え、この差し込み部の外周面側には、差し込み部の周方向に沿ってリング形状に膨出された膨出リングが接合され、上記クッション部および上記膨出リングは、それぞれ、第１接続管および第２接続管をインサート品とした軟質材料のインサート成形によって一緒に形成されているものである。
この第２の発明によれば、第１通水体の内周面に嵌合される差し込み部の外周面側に前もって軟質材料から成る膨出リングを膨出させておくことで、この膨出リングに第１通水体と圧力上昇緩和管との間の水漏れを抑える機能を発揮させることができる。これにより、第１通水体と圧力上昇緩和管との接続においてＯリングなどの水漏れ抑止部材を使用する必要をなくして、圧力上昇緩和管を適用した水道管路の配設作業の作業性を向上させることができる。また、軟質材料のインサート成形によってクッション部および膨出リングのそれぞれを一緒に形成することで、クッション部と第１接続管および第２接続管との接合、ならびに、膨出リングと第１接続管の差し込み部との接合にかかる手間を減らすことができる。
【０００７】
さらに、第３の発明は、上述した第１または第２の発明において、クッション部は、第１接続管および第２接続管のそれぞれに内周面側から外周面側に向かう方向の迷路形状をなすように形成された各接合部に入り込んだ状態に接合されることで、第１接続管と第２接続管とを一体に連結しているものである。
この第３の発明によれば、各接続管とクッション部との各接合部を迷路形状とすることで、各接合部において各接続管とクッション部とが接合状態とされる面積を広くすることができる。これにより、各接合部における各接続管とクッション部との接合強度を大きくして、圧力上昇緩和管の強度を向上させることができる。また、各接続管とクッション部との各接合部において内周面側から外周面側に向かう方向に迷路形状を設定することで、各接合部において各接続管とクッション部との間に隙間が生じた場合に、この隙間からの水漏れを抑えることができる。
【図面の簡単な説明】
【０００８】
【図１】本発明の一実施形態にかかる圧力上昇緩和管の使用状態を表した斜視図である。
【図２】図１の圧力上昇緩和管を表した縦断面矢視図である。
【図３】図１の圧力上昇緩和管を単体で表した側面図である。
【図４】図２と同様の縦断面図であり、水道管路内で水道水が凝固膨張を起こした状態を表す。
【図５】図１の圧力上昇緩和管の接続構造を表した分解斜視図である。
【発明を実施するための形態】
【０００９】
以下に、本発明の一実施形態にかかる圧力上昇緩和管１０について、図１ないし図５を用いて説明する。なお、以下においては、水道管路の各水道管内を流れる水道水が外気により冷却されて凍結されることを防止するために上記各水道管を覆う断熱部材など、本発明において付随的な構成について、その図示および詳細な説明を省略する。
圧力上昇緩和管１０は、図１、図２、および、図５に示すように、上水道の水道水（図１および図２では図示省略）を供給する水道管路９０において第１水道管９１と第２水道管９２との間に差し挟まれるように装着される。これにより、圧力上昇緩和管１０は、第１水道管９１および第２水道管９２を互いに通水可能に連結しながら、水道管路内における圧力の上昇を緩和する機能を発揮する。ここで、第１水道管９１は本発明における「第１通水体」に相当する。また、第２水道管９２は本発明における「第２通水体」に相当する。
【００１０】
上記各水道管９１、９２は、それぞれ、金属によって分岐のない管形状に形成されている。ここで、各水道管９１、９２において、互いに連結される側に位置される各端部９１Ａ、９２Ａを除いた各本体部９１Ｄ、９２Ｄは、内径および外径がそれぞれ等しい円筒管形状に形成されている。また、第２水道管９２の端部９２Ａには、第２水道管９２の本体部９２Ｄよりも小さい外径を有する円筒形状をなす差し込み部９２Ｂが、第１水道管９１側（図２では上側）に向かって延出されるように設けられている。なお、差し込み部９２Ｂには、その外周面側にＯリング９２Ｅが装着されている。
圧力上昇緩和管１０は、図１ないし図３に示すように、その全体形状が、上記各本体部９１Ｄ、９２Ｄと同じ太さで、かつ、分岐を有さない円筒管形状となるように形成されている。また、圧力上昇緩和管１０には、その通水方向の一方側（図２および図３では上側）の端に第１接続管１１が、上記通水方向の他方側（図２および図３では下側）の端に第２接続管１２が、それぞれ設けられている。なお、第１接続管１１および第２接続管１２は、それぞれ、強度に優れる硬質の合成樹脂（例えばポリフェニレンサルファイド樹脂）により分岐のない管形状に形成されている。
【００１１】
第１接続管１１には、図２および図５に示すように、第１水道管９１の端部９１Ａの内径よりもわずかに小さい外径を有する円筒形状をなす差し込み部１１Ａが、上記通水方向の一方側（図２では上側）に延出されるように設けられている。そして、圧力上昇緩和管１０は、第１接続管１１の差し込み部１１Ａを第１水道管９１の端部９１Ａに差し込んで、この端部９１Ａの内周面９１Ｂに差し込み部１１Ａを嵌合させることで、第１水道管９１に対して接続される。
また、第２接続管１２は、上記通水方向の他方側（図２では下側）の端において、その内径が第２水道管９２の差し込み部９２Ｂの外径よりもわずかに大きくなるように形成されている。そして、圧力上昇緩和管１０は、第２接続管１２において上記通水方向の他方側（図２では下側）の端に第２水道管９２の差し込み部９２Ｂを差し込んで、この差し込み部９２Ｂを上記通水方向の他方側の端における第２接続管１２の内周面１２Ａに嵌合させることで、第２水道管９２に対して接続される。なお、第２水道管９２の差し込み部９２Ｂは、第２接続管１２の内周面１２Ａに嵌合される際に、この内周面１２ＡにＯリング９２Ｅを密嵌させることで、この内周面１２Ａと差し込み部９２Ｂとの間からの水漏れを抑止するようになっている。
【００１２】
ところで、各水道管９１、９２の各端部９１Ａ、９２Ａからは、図５に示すように、各水道管９１、９２の径方向外方側に向かって円環状のフランジ部９１Ｃ、９２Ｃがそれぞれ突設されている。また、圧力上昇緩和管１０の各接続管１１、１２からは、圧力上昇緩和管１０の径方向外方側に向かって円環状のフランジ部１１Ｂ、１２Ｂがそれぞれ突設されている。この各フランジ部１１Ｂ、１２Ｂは、圧力上昇緩和管１０が各水道管９１、９２に接続されたときに、この各水道管９１、９２の各フランジ部９１Ｃ、９２Ｃに対して互いに突き合わされるように配置されている。
また、圧力上昇緩和管１０と各水道管９１、９２との接続に際しては、図１および図５に示すように、互いに突き合わされたフランジ部１１Ｂとフランジ部９１Ｃとの組およびフランジ部１２Ｂとフランジ部９２Ｃとの組は、それぞれ、差し込み式のファスナー９０Ａにより互いに分離されることがないように保持される。これにより、圧力上昇緩和管１０を各水道管９１、９２から外れにくくすることができる。
【００１３】
圧力上昇緩和管１０において、第１接続管１１と第２接続管１２との間には、図１ないし図３に示すように、第１接続管１１および第２接続管１２を形成する各素材よりも振動減衰能が高く弾性変形をしやすい軟質材料（例えばシリコーンゴム）から成るクッション部１３が設けられている。このクッション部１３は、第１接続管１１および第２接続管１２を通水方向（図２では上下方向）に一体に連結して、各接続管１１、１２を互いに通水可能としている。
ここで、クッション部１３は、第１接続管１１および第２接続管１２をインサート品とした上記軟質材料のインサート成形によって、分岐のない管形状に一体成形されている。このため、クッション部１３は、図２に示すように、その管形状の両端部に設定される被接合部１３Ｃおよび被接合部１３Ｄに、第１接続管１１および第２接続管１２が接合された状態に接続される。なお、上記インサート成形においては、インサート品とされる第１接続管１１および第２接続管１２においてクッション部１３と接合される部分に前もってプライマー処理を行うことができる。このプライマー処理は圧力上昇緩和管１０の製造において必須の処理ではないが、上記プライマー処理を行うことで、上記インサート成形による第１接続管１１および第２接続管１２とクッション部１３との接合強度を向上させることができる。
【００１４】
上記構成により、クッション部１３は、水道管路９０内における圧力の変動を弾性的に受け止めて緩和するように機能する。例えば、水道管路９０内において、水道水が凍結して氷９０Ｂとなる（図４参照）と、この水道水の凝固膨張によって水道管路９０内の圧力が上昇される。この場合、クッション部１３は、上記圧力の上昇に応じて一時的に弾性変形し、圧力上昇緩和管１０の径方向外方に拡径されて圧力上昇緩和管１０の軸方向（図４では上下方向）に伸張される。なお、上記拡径および伸張により確保することができるスペースは、各接続管１１、１２に挟まれるクッション部１３の軸方向（図４では上下方向）の長さが長いほど大きくなる。
そして、クッション部１３は、上記拡径および伸張により圧力上昇緩和管１０内のスペースを一時的に広げて上記圧力の上昇を緩和させる。なお、第１水道管９１および第２水道管９２の一方または両方が固定されて、クッション部１３の圧力上昇緩和管１０の軸方向への伸張が規制されている場合、クッション部１３は、圧力上昇緩和管１０の径方向外方への拡径のみによって圧力上昇緩和管１０内のスペースを一時的に広げて上記圧力の上昇を緩和させる。
【００１５】
また、水道管路９０において、送水されている水道水（図２では図示省略）が急に止水されると、ウォーターハンマー現象にともなう圧力波が発生されて、この圧力波が水道管路９０内の水道水および各水道管９１、９２ならびに圧力上昇緩和管１０を介して伝播される。この場合、クッション部１３は、水道管路９０内の水道水を介して伝播される圧力波を、主に圧力上昇緩和管１０の径方向の弾性変形によって受け止める。また、クッション部１３は、各水道管９１、９２および圧力上昇緩和管１０を介して伝播される圧力波を、主に圧力上昇緩和管１０の通水方向（図２では上下方向）の弾性変形によって受け止める。
そして、クッション部１３は、このクッション部１３が受け止めた圧力波を、クッション部１３を形成する軟質材料が有する高い振動減衰能を活かして減衰させて、圧力波の圧力の変動を緩和する。これにより、クッション部１３は、上記圧力波による上記圧力上昇緩和管１０の破損を抑えながら、上記圧力波の伝播を抑える。
【００１６】
なお、圧力上昇緩和管１０を上記水道水の凝固膨張による水道管路９０内の圧力の上昇を緩和させる用途に使う場合、クッション部１３を形成する軟質材料としては、耐温度性に優れる素材（例えばシリコーンゴム）を選択することが好ましい。この素材の選択により、クッション部１３は、水道管路９０内の水道水が凍結される低温の環境下においてもその弾性を保って、上記圧力の上昇を緩和させることができる。
【００１７】
上述した各構成によれば、第１水道管１１と第２水道管１２とを互いに通水可能に連結する圧力上昇緩和管１０の管壁の一部であるクッション部１３が、水道水の凝固膨張にともなう水道管路９０内の圧力の上昇に対して弾性変形し、径方向外方に一時的に拡径されることで、圧力上昇緩和管１０内のスペースを一時的に広げて水道管路９０内の圧力の上昇を緩和させる。これにより、圧力上昇緩和管１０を通常の水道管よりも太く形成する必要をなくし、圧力上昇緩和管１０を取り回しやすくしてその配設工事の作業性を向上させることが可能となる。また、クッション部１３の素材を振動減衰能が高い軟質材料とすることで、クッション部１３にウォーターハンマー現象にともなう圧力波を受け止めさせてその圧力変動を緩和させることが可能となる。これにより、圧力上昇緩和管１０は、上記圧力波の伝播を抑えながらこの圧力波に対する圧力上昇緩和管１０の耐久性を向上させることが可能となる。
また、クッション部１３を両端部に第１接続管１１および第２接続管１２が接合された管形状に形成することで、クッション部１３の拡径により確保することができるスペースの広さを、各接続管１１、１２に挟まれるクッション部１３の軸方向（図２では上下方向）の長さにより適宜調節することが可能となる。これにより、圧力上昇緩和管１０が水道管路９０内における圧力の上昇を緩和する緩和量を容易に調節することができる。
【００１８】
クッション部１３と第１接続管１１および第２接続管１２との接合について、主に図２を用いて、より具体的に説明する。
第１接続管１１において、第２接続管１２側（図２では下側）となる端部は、内周面側から外周面側に向かう方向の迷路形状をなす接合部１１Ｃとして形成されている。また、第２接続管１２において、第１接続管１１側（図２では上側）となる端部は、内周面側から外周面側に向かう方向の迷路形状をなす接合部１２Ｃとして形成されている。
【００１９】
また、クッション部１３においては、上述した軟質材料のインサート成形により、第１接続管１１の接合部１１Ｃおよび第２接続管１２の接合部１２Ｃのそれぞれに上記軟質材料を入り込ませることで被接合部１３Ｃおよび被接合部１３Ｄが形成されている。これにより、クッション部１３は、各被接合部１３Ｃ、１３Ｄと各接合部１１Ｃ、１２Ｃとを互いに接合された状態に接続して、第１接続管１１と第２接続管１２とを一体に連結している。
上記各構成によれば、各接続管１１、１２とクッション部１３との各接合部１１Ｃ、１２Ｃを迷路形状とすることで、各接合部１１Ｃ、１２Ｃにおいて各接続管１１、１２とクッション部１３とが接合状態とされる面積を広くすることができる。これにより、各接合部１１Ｃ、１２Ｃにおける各接続管１１、１２とクッション部１３との接合強度を大きくして、圧力上昇緩和管１０の強度を向上させることができる。
【００２０】
ここで、クッション部１３を各接続管１１、１２をインサート品としたインサート成形によって成形することで、各接合部１１Ｃ、１２Ｃを迷路形状としながら、この各接合部１１Ｃ、１２Ｃにクッション部１３を入り込ませて接合させることを容易に実現することができる。
また、各接続管１１、１２とクッション部１３との各接合部１１Ｃ、１２Ｃにおいて内周面側から外周面側に向かう方向に迷路形状を設定することで、各接合部１１Ｃ、１２Ｃにおいて各接続管１１、１２の各接合部１１Ｃ、１２Ｃとクッション部１３の各被接合部１３Ｃ、１３Ｄとの間に隙間が生じた場合に、この隙間からの水漏れを抑えることができる。
【００２１】
ところで、クッション部１３において、第１接続管１１の接合部１１Ｃに入り込んで接合される被接合部１３Ｃからは、図２、図３、および、図５に示すように、第１接続管１１の差し込み部１１Ａの先端側（図２および図３では上側）に向かって延長部分１３Ａが延長されている。この延長部分１３Ａは、第１接続管１１の内周面１１Ｄを覆うように延長されて、差し込み部１１Ａの先端をこの差し込み部１１Ａの内周面側から外周面側に回りこむようにくるんでいる。
上記構成によれば、圧力上昇緩和管１０において、クッション部１３は第１接続管１１をくるむように覆った状態となる。これにより、第１接続管１１とクッション部１３とを互いに外れにくくすることができる。また、クッション部１３の延長部分１３Ａを被接合部１３Ｃから第１接続管１１の内周面１１Ｄを覆うように延長させることで、第１接続管１１の接合部１１Ｃとクッション部１３の被接合部１３Ｃとの間に隙間が生じた場合に、この隙間に水道管路９０内の水が入り込むことを防ぐことができる。これにより、圧力上昇緩和管１０における水漏れをより少なくすることができる。
【００２２】
また、第１接続管１１の差し込み部１１Ａの外周面側には、図１および図５に示すように、差し込み部１１Ａの周方向に沿ったリング形状をなす膨出リング１３Ｂが形成されている。この膨出リング１３Ｂは、図２および図３に示すように、クッション部１３を形成する軟質材料と同じ軟質材料によって、クッション部１３の延長部分１３Ａに対して互いに一体に繋がった状態に形成されている。また、膨出リング１３Ｂは、差し込み部１１Ａに対して互いに接合されて、この差し込み部１１Ａの径方向外方に向かって膨出されている。
そして、膨出リング１３Ｂは、差し込み部１１Ａを第１水道管９１の内周面９１Ｂに差し込みにより嵌合させる際に、この内周面９１Ｂに密嵌されて、第１水道管９１の内周面９１Ｂと差し込み部１１Ａとの間の水漏れを抑えるようになっている。前もって第１水道管９１の内周面に嵌合される差し込み部１１Ａの外周面側に軟質材料から成る膨出リング１３Ｂを膨出させることにより、第１水道管１１と圧力上昇緩和管１０との接続においてＯリングなどの水漏れ抑止部材を使用する必要をなくして、圧力上昇緩和管１０を適用した水道管路９０の配設作業の作業性を向上させることが可能となる。
【００２３】
なお、膨出リング１３Ｂは、軟質材料のインサート成形によってクッション部１３を形成する際に、第１接続管１１の差し込み部１１Ａを外周面側から覆うように軟質材料がインサート成形されることによって、クッション部１３と一緒に形成される。クッション部１３および膨出リング１３Ｂのそれぞれを軟質材料のインサート成形によって一緒に形成することで、クッション部１３と第１接続管１１および第２接続管１２との接合、ならびに、膨出リング１３Ｂと第１接続管１１の差し込み部１１Ａとの接合にかかる手間を減らすことができる。
【００２４】
本発明は、上述した一実施形態で説明した外観、構成に限定されず、本発明の要旨を変更しない範囲で種々の変更、追加、削除が可能である。例えば、以下のような各種の形態を実施することができる。
（１）各水道管に対して接続される圧力上昇緩和管の各接続管の具体的な構造は、上述したものに限定されない。例えば、圧力上昇緩和管において第１接続管の差し込み部の先端をくるむクッション部の延長部分を除去あるいは省略することで、クッション部と膨出リングとを互いに別体のものとすることができる。また、例えば圧力上昇緩和管の両接続管からそれぞれ差し込み部を突出させ、この各差し込み部を各水道管の端部に差し込んでその各内周面に嵌合させることで圧力上昇緩和管と各水道管とを接続させる接続構造など、任意の接続構造を圧力上昇緩和管に適用することもできる。
（２）本発明の圧力上昇緩和管は、上水道の水道水を供給する水道管路に適用されるものに限定されない。すなわち、本発明の圧力上昇緩和管は、例えば湯沸かし器または温水暖房機などの住宅設備に適用される水道管路、あるいは、水道管を地中に埋設する埋設水道管路などの任意の水道管路において、この水道管路内における圧力の上昇を緩和させることができる。また、水道管路において圧力上昇緩和管が接続される第１通水体および第２通水体は金属製の水道管に限定されず、例えば合成樹脂製の水道管、または、水を一時的に貯留するための水貯留タンクなど、水道管路に適用される任意の通水体とすることができる。また、本発明の圧力上昇緩和管の具体的な素材および形状は、この圧力上昇緩和管が接続される各通水体の形状、および、想定される圧力の上昇の様態に応じて、適宜変更することができる。
【符号の説明】
【００２５】
１０    圧力上昇緩和管
１１    第１接続管
１１Ａ  差し込み部
１１Ｂ  フランジ部
１１Ｃ  接合部
１１Ｄ  内周面
１２    第２接続管
１２Ａ  内周面
１２Ｂ  フランジ部
１２Ｃ  接合部
１３    クッション部
１３Ａ  延長部分
１３Ｂ  膨出リング
１３Ｃ  被接合部
１３Ｄ  被接合部
９０    水道管路
９０Ａ  ファスナー
９０Ｂ  氷
９１    第１水道管（第１通水体）
９１Ａ  端部
９１Ｂ  内周面
９１Ｃ  フランジ部
９１Ｄ  本体部
９２    第２水道管（第２通水体）
９２Ａ  端部
９２Ｂ  差し込み部
９２Ｃ  フランジ部
９２Ｄ  本体部
９２Ｅ  Ｏリング
【図１】
2014185476.tif 000003
【図２】
2014185476.tif 000004
【図３】
2014185476.tif 000005
【図４】
2014185476.tif 000006
【図５】
2014185476.tif 000007